(57)【要約】  【課題】アクティブ駆動方式の第１の表示モジュール１０の上にパッシブ駆動方式の第２の表示モジュール２０を積層構成した表示装置１００で、第１の表示モジュール１０による高速描画特性と第２の表示モジュール２０による表示保持特性とを有効利用する。  【解決手段】文字表示時において、表示開始時は第１の表示モジュール１０に描画させるとともに、第２の表示モジュールの全面を透過状態とする（ステップＳ１、Ｓ２）。第１の表示モジュール１０による描画後に、第１の表示モジュール１０による描画内容と同じ内容を第２の表示モジュール２０に描画させるとともに、第１の表示モジュール１０について、第２の表示モジュール１０によって描画されたラインに対応する領域を黒色にする（ステップＳ３）。第２の表示モジュール１０による全ラインの描画後に、第１の表示モジュール１０の全ライン分が黒色に描画された状態で第１の表示モジュール１０の液晶駆動および給電をオフ（ステップＳ５）するとともに、第２の表示モジュール２０の液晶駆動および給電をオフ（ステップＳ６）する。  【選択図】図９
2006243329.tif 000002
【特許請求の範囲】
【請求項１】
画像信号に応じて光の射出量を画素ごとに制御して表示を行う第１の表示素子と、
前記第１の表示素子と積層され、画像信号に応じて光の透過状態および反射状態を画素ごとに制御して表示を行う第２の表示素子と、
(1)前記第１の表示素子へ描画を指示するとともに、少なくとも前記第１の表示素子による描画領域に対応する前記第２の表示素子の画素を前記透過状態にするように前記第２の表示素子へ指示し、
(2)前記第２の表示素子へ前記第１の表示素子と少なくとも表示色以外が同内容の描画を指示するとともに、前記第２の表示素子による描画領域に対応する前記第１の表示素子の画素を、前記第２の表示素子による描画速度に同期して所定色に描画するように前記第１の表示素子へ指示し、
(3)前記第２の表示素子による描画の終了後、少なくとも前記第１の表示素子に対する表示制御を停止する表示制御手段とを備えることを特徴とする表示装置。
【請求項２】
画像信号に応じて光の射出量を画素ごとに制御して表示を行う第１の表示素子と、
前記第１の表示素子と積層され、画像信号に応じて光の透過状態および反射状態を画素ごとに制御して表示を行う第２の表示素子と、
(1)前記第１の表示素子へ描画を指示するとともに、少なくとも前記第１の表示素子による描画領域に対応する前記第２の表示素子の画素を前記透過状態にするように前記第２の表示素子へ指示し、
(2)前記第２の表示素子へ前記第１の表示素子と同内容の描画を指示し、
(3)前記第２の表示素子による描画の終了後に、少なくとも前記第１の表示素子に対する表示制御を停止する表示制御手段とを備えることを特徴とする表示装置。
【請求項３】
請求項１または２に記載の表示装置において、
前記第１の表示素子はアクティブ駆動型であり、
前記第２の表示素子はパッシブ駆動型であり、
前記第２の表示素子による描画速度は前記第１の表示素子による描画速度より遅いことを特徴とする表示装置。
【請求項４】
請求項３に記載の表示装置において、
前記第１の表示素子を照明する照明手段をさらに備え、
前記表示制御の停止は前記照明手段の消灯を含むことを特徴とする表示装置。
【請求項５】
請求項３に記載の表示装置において、
前記第１の表示素子は自発光型であり、
前記表示制御の停止は前記第１の表示素子への給電停止を含むことを特徴とする表示装置。
【請求項６】
請求項３〜５のいずれか一項に記載の表示装置において、
前記第２の表示素子は、前記画素ごとに制御された透過および反射の状態を給電停止後も保持することを特徴とする表示装置。
【発明の詳細な説明】
【技術分野】
【０００１】
本発明は、画像や文字の表示が可能な表示装置に関する。
【背景技術】
【０００２】
携帯電話機やデジタルカメラ、ＰＤＡなどの電子機器に薄型表示装置が広く利用されている。ネマチック液晶素子を用いた表示装置は、画素ごとに透過率が制御される透過型の液晶素子を背面から照明することにより、液晶素子に形成される像が可視化される。液晶素子はそれ自体が発光しないため、液晶素子を照明する照明部材（たとえばバックライト）が必要とされる。素子自体が発光する有機ＥＬ（エレクトロルミネッセンス）素子を液晶素子の代わりに用いて、バックライト部材を不要にした表示装置も知られている。このような液晶表示装置や有機ＥＬ表示装置の構成は、たとえば、特許文献１、特許文献２に開示されている。
【０００３】
一方、いわゆる電子ペーパーや電子ブック（登録商標）などの表示装置として、コレステリック液晶やＰＮ液晶（ポリマーネットワーク液晶）を用いたものが知られている（たとえば、特許文献３，特許文献４参照）。これらは外光を照明光として利用するもので、液晶素子の透過状態／反射状態が画素ごとに切換可能に構成される。反射状態に切換られた画素は外光を拡散反射して例えばＰＮ液晶では白っぽく視認され、透過状態に切換られた画素は外光を透過する。液晶下部に外光を吸収する黒色板等の吸収層を設けておく場合には、当該画素は黒っぽく視認される。このような表示装置は、発光を伴わないために消費電力がわずかですむ。
【０００４】
【特許文献１】特開２００４-１２５９６２号公報
【特許文献２】特開２００４-１２７６６２号公報
【特許文献３】特開２００３-１４０１１４号公報
【特許文献４】特開２００３-９８５４１号公報
【発明の開示】
【発明が解決しようとする課題】
【０００５】
上述した発光を伴うタイプの表示装置は、階調表現が豊かで描画速度が速い反面、バックライト部材や素子自体を発光させるために電力消費がかさむ。一方、外光を利用するタイプの表示装置は、表示状態を維持するための電力消費はわずかであるが、透過状態／反射状態の切換えに時間を要するため描画速度が遅い。そこで、消費電力を抑えつつ、描画を短時間で行う表示装置が望まれる。
【課題を解決するための手段】
【０００６】
請求項１に記載の発明による表示装置は、画像信号に応じて光の射出量を画素ごとに制御して表示を行う第１の表示素子と、第１の表示素子と積層され、画像信号に応じて光の透過状態および反射状態を画素ごとに制御して表示を行う第２の表示素子と、(1)第１の表示素子へ描画を指示するとともに、少なくとも第１の表示素子による描画領域に対応する第２の表示素子の画素を透過状態にするように第２の表示素子へ指示し、(2)第２の表示素子へ第１の表示素子と少なくとも表示色以外が同内容の描画を指示するとともに、第２の表示素子による描画領域に対応する第１の表示素子の画素を、第２の表示素子による描画速度に同期して所定色に描画するように第１の表示素子へ指示し、(3)第２の表示素子による描画の終了後、少なくとも第１の表示素子に対する表示制御を停止する表示制御手段とを備えることを特徴とする。
請求項２に記載の発明による表示装置は、画像信号に応じて光の射出量を画素ごとに制御して表示を行う第１の表示素子と、第１の表示素子と積層され、画像信号に応じて光の透過状態および反射状態を画素ごとに制御して表示を行う第２の表示素子と、(1)第１の表示素子へ描画を指示するとともに、少なくとも第１の表示素子による描画領域に対応する第２の表示素子の画素を透過状態にするように第２の表示素子へ指示し、(2)第２の表示素子へ第１の表示素子と同内容の描画を指示し、(3)第２の表示素子による描画の終了後に、少なくとも第１の表示素子に対する表示制御を停止する表示制御手段とを備えることを特徴とする。
請求項１または２に記載の表示装置において、第１の表示素子をアクティブ駆動型に、第２の表示素子をパッシブ駆動型にそれぞれ構成してもよく、第２の表示素子による描画速度は第１の表示素子による描画速度より遅くてもよい。
請求項３に記載の表示装置はさらに、第１の表示素子を照明する照明手段を備えてもよく、この場合の表示制御の停止は照明手段の消灯を含めてもよい。
請求項３に記載の表示装置において、第１の表示素子を自発光型に構成してもよく、この場合の表示制御の停止は第１の表示素子への給電停止を含めてもよい。
請求項３〜５のいずれか一項に記載の表示装置において、
第２の表示素子は、画素ごとに制御された透過および反射の状態を給電停止後も保持することもできる。
【発明の効果】
【０００７】
本発明による表示装置では、画像信号に応じて光の射出量を画素ごとに制御する第１の表示素子と、画像信号に応じて光の透過状態および反射状態を画素ごとに制御する第２の表示素子とを積層し、第１の表示素子へ描画を指示するとともに、少なくとも第１の表示素子による描画領域に対応する第２の表示素子の画素を透過状態にするように第２の表示素子へ指示し、第２の表示素子へ第１の表示素子と同内容の描画を指示するとともに、第２の表示素子による描画領域に対応する第１の表示素子の画素を所定色に描画するように第１の表示素子へ指示し、第２の表示素子による描画の終了後、少なくとも第１の表示素子に対する表示制御を停止するように構成したので、第１の表示素子による高速描画特性と第２の表示素子による表示保持特性とが適切に利用され、消費電力を抑えつつ、短時間で描画することができる。
【発明を実施するための最良の形態】
【０００８】
以下、図面を参照して本発明を実施するための最良の形態について説明する。本発明の一実施の形態による表示装置１００は、図１３に示すように、ＰＤＡ２００あるいは不図示の携帯電話機、デジタルカメラや電子書籍ビューワなどの電子機器に搭載されるものである。
【０００９】
図１および図２は表示装置１００の構成を説明する図であり、図１は正面図、図２は側面図である。図１において、表示装置１００は有効表示領域１００ａ内に画像やテキストなどを表示する。
【００１０】
図２において、表示装置１００は第１の表示モジュール１０と第２の表示モジュール２０とを積層して構成される。積層された２つの表示モジュール１０、２０は、バックライト部材によって第１の表示モジュール１０側から照明される。バックライト部材は高輝度白色ＬＥＤ１４１、白色ＬＥＤ１４１が実装されるＬＥＤ基板１４２、および導光板１４によって構成される。導光板１４は、少なくとも上記有効表示領域１００ａより広い面積を有する。導光板１４は、白色ＬＥＤ１４１から発せられ、導光板１４の側面（図１、図２において右）から導光板１４内に入射された光を有効表示領域１００ａ内で輝度が均一な面照明光に変換し、この面照明光で第１の表示モジュール１０を照明する。観察者は、図２において上から表示画像を観察する。
【００１１】
第１の表示モジュール１０および第２の表示モジュール２０には、それぞれ後述する表示制御回路からフレキシブル配線基板１５０および１５１を介して表示データや駆動信号などが供給される。
【００１２】
図３は、表示装置１００の内部構造を説明するために図２の一部を拡大した図である。図３において、第１の表示モジュール１０は、たとえば、周知のＴＦＴ方式の液晶パネルによって構成される。液晶１１が２枚のガラス基板１２ａおよび１２ｂ間に封入され、これらガラス基板１２ａおよび１２ｂを挟むように第１の偏光板１３ａおよび第２の偏光板１３ｂが配設される。ここで、第２の偏光板１３ｂを通過する光の偏光方向と、第１の偏光板１３ａを通過する光の偏光方向とは９０度異なるように構成されている。また、ガラス基板１２ｂおよび第２の偏光板１３ｂ間には、不図示のカラーフィルタが配設されている。
【００１３】
液晶１１は、ガラス基板１２の内側に設けられている不図示の透明電極から電圧が印加されていない状態では、液晶層内の液晶分子の配列（配向）によって液晶層の中に入射された光の偏光方向を９０度回転させる。これにより、第１の偏光板１３ａを介して液晶１１内に入射された偏光光は、液晶層内で９０度回転された後に第２の偏光板１３ｂを通過して第１の表示モジュール１０から射出され、第２の表示モジュール２０へ入射される。
【００１４】
一方、不図示の透明電極から電圧が印加された液晶１１は、液晶層内の液晶分子の配列が変わり、入射光の偏光方向を９０度回転させなくなる。これにより、第１の偏光板１３ａを介して液晶１１内に入射された偏光光は、第２の偏光板１３ｂを通過できないために第１の表示モジュール１０から射出される透過光量が小さくなる。液晶分子の配列変化が印加電圧に比例することから、液晶層を進行する光の偏光方向の回転比率も印加電圧に比例する。したがって、第１の表示モジュール１０を透過して第２の表示モジュール２０へ入射される光量は、液晶１１に対する印加電圧の増加に伴って減少する。
【００１５】
液晶１１には、画像信号に基づいて表示制御回路（後述）から供給される駆動信号に応じた任意の電圧を、マトリクス状に分割された所定領域（画素）ごとに印加可能に構成されている。これにより、画像信号に基づいて第１の表示モジュール１０によって生成された光像が第２の表示モジュール２０へ入射される。この表示方式は、照明光の透過率、換言すれば変調光の射出量を画素ごとに任意に制御できるため、豊かな階調表現が可能である。さらに、上述したようにカラーフィルタを透過させているので、写真画像や動画像のフルカラー表示に適している。
【００１６】
第２の表示モジュール２０は、コレステリック液晶２１を２枚のガラス基板２２ａおよび２２ｂ間に封入した液晶パネルによって構成される。コレステリック液晶２１は、画像信号に基づいて表示制御回路（後述）から供給される駆動信号に応じた任意の電圧を、マトリクス状に分割された所定領域（画素）ごとに印加可能に構成されている。透明電極から電圧が印加された液晶２１は、透過状態と反射状態とが切換わる。
【００１７】
反射状態にされた画素は外光を拡散反射し、観察者によって例えば黄色く視認される。透過状態にされた画素は第１の表示モジュール１０によって生成された光像を透過し、観察者は第１の表示モジュール１０によって表示されたカラー画像を視認する。コレステリック液晶はメモリ性を有するので、第２の表示モジュール２０に対する電源供給を遮断しても反射状態（もしくは透過状態）を維持する。
【００１８】
表示装置１００の有効表示領域１００ａは、第１の表示モジュール１０による有効表示領域に対応し、第２の表示モジュール２０の有効表示領域は、少なくとも有効表示領域１００ａより広くするように構成される。以上説明した導光板１４、第１の表示モジュール１０および第２の表示モジュール２０は、略密着するように重ね合わされ、表示装置１００を構成する。
【００１９】
図４は、表示装置１００の制御ブロック図である。バッテリＢＴは、ＣＰＵ３１をはじめとする各ブロックに給電する。第１の表示モジュール１０は、表示制御回路３２によって駆動制御される。表示制御回路３２は、透明電極を介して液晶１１を駆動する液晶駆動回路３２ａと、白色ＬＥＤ１４１を点灯制御するバックライト制御部３２ｂとを含む。一方、第２の表示モジュール２０は、表示制御回路３３によって駆動制御される。表示制御回路３３は、透明電極を介して液晶２１を駆動する。ＣＰＵ３１は、液晶駆動指令を表示データとともに表示制御回路３２および３３へ送信する他、画像記憶装置３４や記録媒体３７に対して画像データや文字データなどの読み出し、書き込みを行ったりする。明るさセンサ３５は、表示装置１００の周囲の明るさを検出し、検出信号をＣＰＵ３１へ出力する。時計回路３６は、クロック信号を分周して時刻情報を生成する。画像記憶装置３４は、たとえば、ハードディスク装置によって構成される。記録媒体３７は、たとえば、着脱可能なメモリカードによって構成される。
【００２０】
以上のように構成された表示装置１００による表示態様について説明する。
（画像表示）
表示装置１００に画像記憶装置３４や記憶媒体３７に記録されている画像データによる再生画像を表示させる場合、図５に示すように、白色ＬＥＤ１４１を点灯させるとともに第１の表示モジュール１０に再生画像を表示させる一方、第２の表示モジュール２０は全画素を透過（透明）状態とする。観察者は、第１の表示モジュール１０から射出される表示光が形成する表示画像を、透過状態にある第２の表示モジュール２０を通して観察する。ここで、第２の表示モジュール２０が表示のメモリ性（給電を遮断してもその状態が保持される）を有する場合には、第２の表示モジュール２０に対しては全画素を透過状態に切換えた以降に給電を遮断し、その状態を保持させる。これにより、表示装置１００に静止画像を表示させる場合には、第２の表示モジュールの全画素を透過（透明）状態とし、第１の表示モジュール１０へ給電を行うだけで画像表示を継続できる。
【００２１】
（文字表示）
一方、表示装置１００に文字などを表示させる場合、図６に示すように、第２の表示モジュール２０の表示したい文字に対応する領域（画素）を透過状態に、それ以外の領域（画素）を反射状態にするとともに、第１の表示モジュール１０に対しては液晶１１の駆動を停止し、さらに給電を遮断し、ＬＥＤ１４１を消灯させる。給電オフにより第１の表示モジュール１０の全画素は非射出状態、つまり黒色化されるため、第２の表示モジュール２０の透過領域（文字部分）を透過した光は上記黒色化部分で吸収される。この結果、観察者には黄色地に表示された黒文字が視認される。給電オフ状態の第１の表示モジュール１０が第２の表示モジュール２０に必要な吸収層としての役割を兼ねるので、吸収層を構成する黒色板等を別途設ける必要がない。上記とは逆に、第２の表示モジュール２０の表示したい文字に対応する領域（画素）を反射状態に、それ以外の領域（画素）を透過状態とするとともに、ＬＥＤ１４１を消灯し、第１の表示モジュール１０の全画素を非射出状態として黒色化すれば、黒地の背景に黄色文字が視認される。
【００２２】
上述したように、第２の表示モジュール２０は給電を遮断した後も透過状態もしくは反射状態を保持するので、表示内容の更新を行わない場合は第１の表示モジュール１０および第２の表示モジュール２０双方への給電をともにオフさせて電力消費を極めて少なく抑えることができる。
【００２３】
（混在表示）
表示装置１００の有効表示領域１００ａの一部に画像を表示させるとともに、他の部分に文字を表示させる場合、図７に示すように、たとえば、第１の表示モジュール１０の上半分に画像を表示させ、下半分を黒表示状態にするとともに、白色ＬＥＤ１４１を点灯させる。一方、第２の表示モジュール２０に対しては上半分を透過状態に、下半分の文字に対応する領域（画素）を透過状態に、下半分の文字以外に対応する領域（画素）を反射状態にする。これにより、観察者は、第１の表示モジュール１０による再生表示画像を第２の表示モジュール２０の透過領域を通して画面の上半分に観察でき、画面の下半分には第２の表示モジュール２０による表示文字（黄色地に黒文字）を観察できる。
【００２４】
なお、第１の表示モジュール１０を有機ＥＬなどの自発光素子を用いて構成すれば、第１の表示モジュール１０の下半分への給電をオフできるようになり、第１の表示モジュール単体で同様の表示を行う場合に比べて第１の表示モジュール１０における消費電力を半分に抑えることができる。なお、混在表示においては、画像表示領域と文字表示領域との混在比率、各領域の数や位置、大きさなどを任意に変更してよい。
【００２５】
（文字のカラー表示）
たとえば、表示装置１００に文字を赤色で表示させる場合、図８に示すように、第２の表示モジュール２０の文字に対応する領域（画素）を透過状態に、文字以外に対応する領域（画素）を反射状態にする。第１の表示モジュール１０においては、上記文字に対応する領域（もしくは文字に対応する領域を含む所定領域）を赤色に表示させ、他の領域を黒色表示状態とするとともに、白色ＬＥＤ１４１を点灯させる。これにより、観察者は、第２の表示モジュール２０の透過領域（文字画素）を通して第１の表示モジュール１０の赤色を視認できる。つまり、表示装置１００は黄色地に赤色の文字表示を行う。
【００２６】
なお、第１の表示モジュール１０の文字に対応する領域（もしくは文字に対応する領域を含む所定領域）を青色や緑色などに表示させれば、赤以外の色で文字を表示させることもできる。また、文字ごとに色を変えて表示させるようにしてもよい。
【００２７】
（表示モジュールの選択）
ＣＰＵ３１は、図５〜図７のいずれの表示態様とするかを表示すべきコンテンツに応じ自動選択するように構成されている。たとえば、表示コンテンツが静止画像や動画像、アニメーション等のカラー画像である場合、ＣＰＵ３１は自動的に図５に例示した表示態様を選択する。表示コンテンツがテキストや簡単な絵柄で構成される場合には、ＣＰＵ３１は自動的に図６に例示した表示態様を選択する。また、表示コンテンツが画像とテキストの混在である場合には、自動的に図７に例示した表示態様を選択する。これにより、観察者が表示態様の選択操作をしなくてもよくなり、表示装置１００の使い勝手が向上する。なお、観察者による選択操作によって表示態様を切り換える構成としても構わない。
【００２８】
また、表示コンテンツがテキストや簡単な絵柄で構成される場合、通常は上述したように図６の表示態様が適しているが、表示装置１００の周囲が暗い場合にはこの限りではない。この場合のＣＰＵ３１は、明るさセンサ３５から入力された検出信号が所定の明るさ以上であることを示していれば図６の表示態様を選択し、検出信号が所定の明るさ未満であることを示している場合には図５の表示態様を選択する。図５の表示態様では、第１の表示モジュール１０を照明するバックライト（上記例ではＬＥＤ１４１）を点灯させるため、観察者は周囲が暗くても表示内容を観察できる。
【００２９】
明るさセンサ３５による明るさ検出に代えて、時計３６からの時刻情報に応じて表示態様の選択を行うように構成してもよい。この場合のＣＰＵ３１は、所定の時間帯（昼間の明るい時間帯）であれば図６の表示態様を選択し、それ以外の時間帯では図５の表示態様を選択する。
【００３０】
さらに、周知のバッテリチェック機能を利用し、バッテリＢＴの残量が所定値以上であれば図５の表示態様を選択し、バッテリＢＴの残量が所定値未満になると図６の表示態様を選択する構成にしてもよい。これにより、バッテリＢＴの寿命を延ばすことができる。
【００３１】
さらにまた、第１の表示モジュール１０による同一コンテンツの表示時間が所定時間に達したら、自動的に同じコンテンツ表示を第２の表示モジュール２０にて行うようにすることで、電力節約を図る構成としてもよい。
【００３２】
上記の表示装置１００を構成する第１の表示モジュール１０はいわゆるアクティブ駆動方式であるため、パッシブ駆動方式に比べて描画速度が速い反面、表示内容を保持する場合は駆動（給電）を継続する必要がある。これに対して、第２の表示モジュール２０はパッシブ駆動方式であるため、アクティブ駆動方式に比べて描画速度が遅い反面、駆動（給電）を停止しても表示内容を保持できる。
【００３３】
本発明は、上記表示装置１００に文字表示を行わせる場合、すなわち、図５もしくは図７の表示態様に関し、第１の表示モジュール１０による高速描画特性と、第２の表示モジュール２０による表示保持特性とを有効利用するものである。
【００３４】
図９は、表示装置１００に、例えば文字表示を行わせる場合にＣＰＵ３１によって行われる描画処理手順を説明するフローチャートである。図９のステップＳ１において、ＣＰＵ３１は、第１の表示モジュール１０に対する描画を指示してステップＳ２へ進む。具体的には、ＣＰＵ３１から表示制御回路３２へテキストデータ、テキスト表示（たとえば、黒文字）のための液晶駆動指令、およびＬＥＤ点灯指令が送信される。これにより、第１の表示モジュール１０には図１０(a)に例示するテキスト画面が描画される。
【００３５】
ステップＳ２において、ＣＰＵ３１は、第２の表示モジュール２０に対する描画を指示してステップＳ３へ進む。具体的には、ＣＰＵ３１から表示制御回路３３へ全画素を透過状態にするための液晶駆動指令が送信される。これにより、第２の表示モジュール２０は図１１(a)に例示する全面透明状態にされる。観察者は、第１の表示モジュール１０によるテキスト画面を、透過状態にある第２の表示モジュール２０を通して観察する。なお、ステップＳ１とステップＳ２の順序は逆にしてもよい。
【００３６】
ステップＳ３において、ＣＰＵ３１は、第２の表示モジュール２０に対する描画（第２の表示モジュール２０の文字に対応する領域を透過領域に、それ以外の領域を反射領域とする、あるいは、第２の表示モジュール２０の文字に対応する領域を反射領域に、それ以外の領域を透過領域とする）を行い、第２の表示モジュール１０によって描画されたラインに対応する第１の表示モジュール１０上の領域（画素）を所定色（たとえば、黒色）にするように指示してステップＳ４へ進む。具体的には、ＣＰＵ３１から表示制御回路３３へテキストデータ、およびテキスト表示のための液晶駆動指令が送信される。テキストデータは第１の表示モジュール１０に対して送信されたデータと共通である。これにより、第２の表示モジュール２０には図１１(b)に例示するように１ラインずつテキストが描画される。次に、ＣＰＵ３１から表示制御回路３２へ黒色化に対応するデータ、液晶駆動指令が送信される。これにより、第１の表示モジュール１０には図１０(b)に例示するように、第２の表示モジュール２０の描画処理速度に同期して１ラインずつ黒色に描画される。観察者には、テキスト画面がステップＳ２終了時点と同様に観察されている。
【００３７】
ステップＳ４において、ＣＰＵ３１は、全ラインが終了したか否かを判定する。ＣＰＵ３１は、第２の表示モジュール２０において全ライン分の描画が終了した場合にステップＳ４を肯定判定してステップＳ５へ進み、全ラインが終了していない場合にはステップＳ３に戻り、処理を継続して当該判定処理を繰り返す。
【００３８】
ステップＳ５において、ＣＰＵ３１は、第１の表示モジュール１０に対する液晶駆動停止、給電オフ、およびバックライト制御部３２ｂに対してバックライト消灯を指示してステップＳ６へ進む。これにより、第１の表示モジュール１０は図１０(c)に例示するように、全ライン分が黒色に描画された状態で給電がオフされる。ステップＳ６において、ＣＰＵ３１は、第２の表示モジュール２０に対する液晶駆動停止、給電オフを指示して図９による処理を終了する。これにより、第２の表示モジュール２０は図１１(c)に例示するように、図１０(a)と同内容のテキスト画面が描画された状態で給電がオフされる。観察者には、テキスト画面がステップＳ２終了時点と同様に観察されている。
【００３９】
以上説明した実施形態によれば、次の作用効果が得られる。
（１）アクティブ駆動方式の第１の表示モジュール１０の上にパッシブ駆動方式の第２の表示モジュール２０を積層して表示装置１００を構成し、表示内容に応じて異なる表示モジュールに描画を行わせるようにしたので、多彩で高コントラストな表示が可能でありながら、消費電力を最小限に抑えることができる。
【００４０】
（２）文字表示の更新時において、表示開始時に第１の表示モジュール１０に描画させるとともに、第２の表示モジュールの全面を透過状態としたので（ステップＳ１、Ｓ２）、第２の表示モジュール２０に描画させる場合に比べて描画（表示内容の更新）を速く行うことができる。
【００４１】
（３）文字表示の更新時において、第１の表示モジュール１０による描画後に、第１の表示モジュール１０による描画内容と同じ内容を第２の表示モジュール２０に描画させるとともに、第１の表示モジュール１０について、第２の表示モジュール１０によって描画されたラインに対応する領域（画素）を黒色にした（ステップＳ３）。これにより、ステップＳ２の終了時点で観察可能にされたテキスト画面を保持したままで、第１の表示モジュール１０による描画内容と同じ内容を第２の表示モジュール２０に徐々に描画させることができる。
【００４２】
（４）文字表示の更新時において、第２の表示モジュール１０による全ラインの描画後に、第１の表示モジュール１０の全ライン分が黒色に描画された状態で第１の表示モジュール１０の液晶駆動および給電をオフ（ステップＳ５）するとともに、第２の表示モジュール２０の液晶駆動および給電をオフ（ステップＳ６）した。これにより、ステップＳ２の終了時点で観察可能にされたテキスト画面を保持したままで、消費電力を大きく低減することができる。
【００４３】
上記ステップＳ５において、第１の表示モジュール１０に対する液晶駆動停止と第１の表示モジュール１０に対する給電オフとを行うことによって表示制御を停止するようにした。この代わりに、少なくとも白色ＬＥＤ１４１を消灯させるように指示すれば、第１の表示モジュール１０への給電を継続させてもよい。白色ＬＥＤ１４１を消灯させることで、消費電力を低減させることができる。
【００４４】
文字表示の例としてテキスト画面を例示したが、静止画像を表示する場合にも本発明を適用できる。なお、上記実施形態においては第２の表示モジュール２０が２値の文字を表示する例について説明したが、駆動電圧を変更したり、周知のディザ技術を用いることにより、多値画像を表示することもできる。
【００４５】
また、テキスト情報と静止画像とが混在する画面を表示する場合にも本発明を適用してよい。
【００４６】
（変形例）
上述したステップＳ３において第１の表示モジュール１０をラインごとに所定色に描画するようにしたが、第２の表示モジュール２０の全ラインの描画終了後に、第１の表示モジュール１０の全ライン分を一度に描画してもよい。図１４は、この際のＣＰＵ３１の動作を説明するフローチャートである。ステップＳ１、ステップＳ２、ステップＳ５およびステップＳ６は、図９に示された各ステップと同じ動作であるので説明を省略する。図１２は、この場合の第１の表示モジュール１０による描画内容を例示する図である。図１２(a)、図１２(c)はそれぞれ図１０(a)、図１０(c)と同様なので説明を省略する。
【００４７】
変形例におけるＣＰＵ３１は、ステップＳ３０において、第２の表示モジュール２０に対して図１１(b)に例示するように１ラインずつテキストを描画させる間、図１２(b)に例示するように、第１の表示モジュール１０にはステップＳ１で描画された全ラインのテキスト画面をそのまま保持させる。観察者には、テキスト画面がステップＳ２終了時点と同様に観察される。
【００４８】
ステップＳ４０において、変形例におけるＣＰＵ３１は、第２の表示モジュール２０に対する描画が全ライン終了したか否かを判定する。ＣＰＵ３１は、第２の表示モジュール２０において全ライン分の描画が終了した場合にステップＳ４０を肯定判定し、ステップＳ５へ進む。これにより、第１の表示モジュール１０の全ライン分が一度に黒色表示（給電および駆動オフの状態）される。なお、このとき、第１の表示モジュール１０の表示を所定色にする（給電および駆動オンの状態）ようにしてもよい。一方、ＣＰＵ３１は、第２の表示モジュール２０において全ライン分の描画が終了していない場合には判定処理を繰り返す。
【００４９】
以上の説明では、ＴＦＴ液晶モジュールを用いて第１の表示モジュール１０を構成するようにしたが、ＴＦＴ液晶モジュールに代えて有機ＥＬモジュールを用いて構成してもよい。有機ＥＬモジュールは素子自体が発光するため、バックライト部材を省略できる。なお、無機ＥＬ素子を用いて第１の表示モジュール１０を構成してもよい。
【００５０】
また、第２の表示モジュール２０について、コレステリック液晶モジュールに代えてＰＮ（ポリマーネットワーク）液晶モジュールを用いて構成してもよい。ＰＮ液晶モジュールはメモリ性を備えていないため、表示内容を維持させるためには駆動および給電を必要とするが、バックライトや素子自体の発光を伴わないため、少ない消費電力で表示内容を維持できる。さらに、コレステリック液晶では反射光の色が黄色や赤みがかるのに対し、ＰＮ液晶では白色反射光が得られるため、白地に黒文字、あるいは黒地に白文字の冴えた表示を行うことができる。
【００５１】
特許請求の範囲における各構成要素と、発明を実施するための最良の形態における各構成要素との対応について説明する。第１の表示素子は、たとえば、第１の表示モジュール１０によって構成される。第２の表示素子は、たとえば、第２の表示モジュール２０によって構成される。表示制御手段は、たとえば、ＣＰＵ３１によって構成される。照明手段は、たとえば、ＬＥＤ１４１、基板１４２および導光板１４によって構成される。なお、以上の説明はあくまで一例であり、発明を解釈する上で、上記の実施形態の構成要素と本発明の構成要素との対応関係に何ら限定されるものではない。
【図面の簡単な説明】
【００５２】
【図１】表示装置の構成を説明する正面図である。
【図２】表示装置の構成を説明する側面図である。
【図３】図２の一部を拡大した図である。
【図４】表示装置の制御ブロック図である。
【図５】画像表示を説明する図である。
【図６】文字表示を説明する図である。
【図７】混在表示を説明する図である。
【図８】文字のカラー表示を説明する図である。
【図９】ＣＰＵによって行われる描画処理手順を説明するフローチャートである。
【図１０】第１の表示モジュールによる描画を説明する図である。
【図１１】第２の表示モジュールによる描画を説明する図である。
【図１２】第１の表示モジュールによる描画を説明する図である。
【図１３】表示装置が搭載されたＰＤＡを例示する図である。
【図１４】ＣＰＵによって行われる描画処理手順を説明するフローチャートである。
【符号の説明】
【００５３】
１０…第１の表示モジュール
１１、２１…液晶
１２ａ、１２ｂ、２２ａ、２２ｂ…ガラス基板
１３ａ，１３ｂ…偏光板
１４…導光板
２０…第２の表示モジュール
３１…ＣＰＵ
３２、３３…表示制御回路
１００…表示装置
１４１…白色ＬＥＤ
１４２…基板
【図１】
2006243329.tif 000003
【図２】
2006243329.tif 000004
【図３】
2006243329.tif 000005
【図４】
2006243329.tif 000006
【図５】
2006243329.tif 000007
【図６】
2006243329.tif 000008
【図７】
2006243329.tif 000009
【図８】
2006243329.tif 000010
【図９】
2006243329.tif 000011
【図１０】
2006243329.tif 000012
【図１１】
2006243329.tif 000013
【図１２】
2006243329.tif 000014
【図１３】
2006243329.tif 000015
【図１４】
2006243329.tif 000016